(57)【要約】【課題】接点が通電しない位置でダイヤルを停止させた場合でも設定温度を決定できるようにする。【解決手段】温度設定ダイヤルスイッチは、１℃ずつ異なる温度が割り当てられ、間隔を空けて周方向に配列された複数の接点と、複数の接点の配列方向に沿って移動可能であって、接点の位置にあるときに当該接点を通電させる可動体とを有する。可動体が隣接する２つの接点の間に位置する場合、温度を上げる操作をした場合には、直前に通電した接点の温度に１℃を足した温度を設定温度とし、温度を下げる操作をした場合には、直前に通電した接点の温度から１℃を引いた温度を設定温度とする。【選択図】図５
2013217535.tif 000002
【特許請求の範囲】
【請求項１】
設定温度を変更するための温度設定ダイヤルスイッチを備えた空気調和機であって、
前記温度設定ダイヤルスイッチは、
１℃ずつ異なる温度が割り当てられ、間隔を空けて周方向に配列された複数の接点と、
前記複数の接点の配列方向に沿って移動可能であって、前記接点の位置にあるときに当該接点を通電させる可動体とを有し、
前記可動体が隣接する２つの接点の間に位置する場合、温度を上げる操作をした場合には、直前に通電した接点の温度に１℃を足した温度を設定温度とし、温度を下げる操作をした場合には、直前に通電した接点の温度から１℃を引いた温度を設定温度とすることを特徴とする空気調和機。
【発明の詳細な説明】
【技術分野】
【０００１】
本発明は、複数の接点を有する設定温度ダイヤルスイッチを備えた空気調和機に関するものである。
【背景技術】
【０００２】
従来から、空気調和機として、冷房運転時および暖房運転時の設定温度を変更する温度設定ダイヤルスイッチを備えたものがある（例えば特許文献１参照）。
このダイヤルスイッチは、回転操作されるダイヤルと、間隔を空けて周方向に配列された複数の接点と、ダイヤルと共に回転し、接点の位置にあるときに接点を通電させる可動体とを有する。複数の接点には、１℃ごと異なる温度が割り当てられている。ダイヤルを回転操作して、ダイヤルの指針を目盛りの設定したい温度に合わせると、この目盛りの温度に対応する接点の位置に可動体が配置されて、接点が通電するようになっている。
【先行技術文献】
【特許文献】
【０００３】
【特許文献１】特開２００５−７０８４４号公報
【発明の概要】
【発明が解決しようとする課題】
【０００４】
しかしながら、このダイヤルスイッチでは、指針が目盛りと目盛りの間にある位置でダイヤルを停止させてしまった場合、可動体が接点と接点の間に配置され、全ての接点が通電しないため、設定温度を決定できないという問題があった。
【０００５】
そこで、本発明は、接点が通電しない位置でダイヤルを停止させた場合でも設定温度を決定することができる空気調和機を提供することを目的とする。
【課題を解決するための手段】
【０００６】
上記課題を解決するために、第１の発明に係る空気調和機は、設定温度を変更するための温度設定ダイヤルスイッチを備えた空気調和機であって、前記温度設定ダイヤルスイッチは、１℃ずつ異なる温度が割り当てられ、間隔を空けて周方向に配列された複数の接点と、前記複数の接点の配列方向に沿って移動可能であって、前記接点の位置にあるときに当該接点を通電させる可動体とを有し、前記可動体が隣接する２つの接点の間に位置する場合、温度を上げる操作をした場合には、直前に通電した接点の温度に１℃を足した温度を設定温度とし、温度を下げる操作をした場合には、直前に通電した接点の温度から１℃を引いた温度を設定温度とすることを特徴とする。
【０００７】
この空気調和機では、可動体が隣接する２つの接点の間の位置に停止し、全ての接点が通電しない場合に、直前に通電した接点の温度に１℃を足した温度または１℃引いた温度を設定温度と決定する。したがって、接点が通電しない位置でダイヤルを停止させてしまった場合であっても、ユーザーが本来設定しようとしていた温度またはそれに極近い温度に設定温度を決定できる。
また、温度を上げる操作をした場合に、直前に通電した接点の温度に１℃を足した温度を設定温度とするため、ユーザーが本来設定しようとしていた温度よりも設定温度が低くなるのを防止できる。
また、温度を下げる操作をした場合に、直前に通電した接点の温度から１℃を引いた温度を設定温度とするため、ユーザーが本来設定しようとしていた温度よりも設定温度が高くなるのを防止できる。
【発明の効果】
【０００８】
以上の説明に述べたように、本発明によれば、以下の効果が得られる。
【０００９】
第１の発明では、可動体が隣接する２つの接点の間の位置に停止し、全ての接点が通電しない場合に、直前に通電した接点の温度に１℃を足した温度または１℃引いた温度を設定温度と決定する。したがって、接点が通電しない位置でダイヤルを停止させてしまった場合であっても、ユーザーが本来設定しようとしていた温度またはそれに極近い温度に設定温度を決定できる。
また、温度を上げる操作をした場合に、直前に通電した接点の温度に１℃を足した温度を設定温度とするため、ユーザーが本来設定しようとしていた温度よりも設定温度が低くなるのを防止できる。
また、温度を下げる操作をした場合に、直前に通電した接点の温度から１℃を引いた温度を設定温度とするため、ユーザーが本来設定しようとしていた温度よりも設定温度が高くなるのを防止できる。
【図面の簡単な説明】
【００１０】
【図１】本発明の実施形態に係る空気調和機の冷媒回路を示す回路図である。
【図２】本発明の実施形態に係る空気調和機の制御ブロック図である。
【図３】本発明の実施形態に係る空気調和機に適用されるリモコンの正面図である。
【図４】図３のＡ−Ａ線に沿った断面図である。
【図５】接点が通電しない位置でダイヤル操作部が停止した場合の具体例である。
【発明を実施するための形態】
【００１１】
以下、本発明の実施形態に係る空気調和機について説明する。
図１に示すように、本実施形態の空気調和機１は、室内に設置される室内機２と、屋外に設置される室外機３と、リモコン４（図２、図３参照）とを備えている。空気調和機１は、冷房運転と、暖房運転と、除湿運転と、送風運転を行えるようになっている。
【００１２】
空気調和機１は、圧縮機１０と、四方弁１１、室外熱交換器１２と、膨張弁（減圧機構）１３と、室内熱交換器１４とを接続した冷媒回路を備えている。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。
【００１３】
冷房運転および除湿運転では、図１中実線矢印で示すように、圧縮機１０から吐出された冷媒が四方弁１１から室外熱交換器１２、膨張弁１３、室内熱交換器１４へと順に流れ、室内熱交換器１４を経た冷媒が四方弁１１を通って圧縮機１０に戻る冷房サイクルまたは除湿サイクルが形成される。すなわち、室外熱交換器１２が凝縮器、室内熱交換器１４が蒸発器として機能する。
【００１４】
一方、暖房運転では、四方弁１１が切換わることにより、図１中破線矢印で示すように、圧縮機１０から吐出される冷媒が四方弁１１から室内熱交換器１４、膨張弁１３、室外熱交換器１２へと順に流れ、室外熱交換器１２を経た冷媒が四方弁１１を通って圧縮機１０に戻る暖房サイクルが形成される。すなわち、室内熱交換器１４が凝縮器、室外熱交換器１２が蒸発器として機能する。
【００１５】
また、室内機２は、室内温度を検知する室温センサ２１と、室内湿度を検知しする湿度センサ２２とを備えており、室外機３は、外気温度を検知する外気温センサ２３を備えている。なお、室温センサ２１および湿度センサ２２は、リモコン４に設けられていてもよい。
【００１６】
図２に示すように、空気調和機１の制御部には、リモコン４、室温センサ２１、湿度センサ２２、外気温センサ２３、圧縮機１０等が接続されている。制御部は、リモコン４からの指令や室温センサ２１で検知される室温等に基づいて、空気調和機１の運転を制御する。
【００１７】
図３に示すように、リモコン４は、表示部３０、運転開始ボタンスイッチ３１、運転停止ボタンスイッチ３２、温度設定ダイヤルスイッチ３３、運転モード選択ダイヤルスイッチ３４、風量選択ダイヤルスイッチ３５、および風向選択ダイヤルスイッチ３６を備えている。表示部３０には、液晶パネルが用いられており、運転モードや設定温度等が表示される。
【００１８】
運転モード選択ダイヤルスイッチ３４は、運転モードを選択するためのスイッチであって、空気調和機１は、運転モードとして、冷房運転モード、暖房運転モード、自動運転モード、除湿運転モード、および送風運転モードを有する。自動運転モードは、外気温センサ２３で検知された外気温度に応じて、冷房運転、暖房運転、および除湿運転のいずれかを行うモードである。
【００１９】
温度設定ダイヤルスイッチ３３は、冷房運転または暖房運転の設定温度を変更するスイッチである。温度設定ダイヤルスイッチ３３は、冷房運転時と暖房運転時とで異なる標準温度を基準として、標準温度よりも７℃低い温度から、標準温度よりも５℃高い温度まで設定できるようになっている。標準温度は予め設定されており、冷房運転の標準温度は例えば２８℃であって、暖房運転の標準温度は例えば２５℃である。
【００２０】
図４に示すように、温度設定ダイヤルスイッチ３３は、リモコン４の外郭の一部を構成するダイヤル操作部４０と、押圧部材５０と、回路基板６０と、弾性部材７０と、複数のガイド部材８０とを有する。なお、以下の温度設定ダイヤルスイッチ３３の説明において、図４中の上下方向を単に上下方向と称する。
【００２１】
図３に示すように、ダイヤル操作部４０は、環状であって、運転開始ボタンスイッチ３１の周囲に配置されている。ダイヤル操作部４０は、回転可能にリモコン４に設けられており、回転操作される。また、ダイヤル操作部４０の上面には、指針部４１が設けられている。リモコン４のダイヤル操作部４０の周囲には、標準温度との温度差を示す１３個の目盛り４２が表示されている。
【００２２】
また、温度設定ダイヤルスイッチ３３は、指針部４１が目盛り４２の＋５℃にある状態からダイヤル操作部４０がプラス方向（図３中時計回り）に回転しないようにするストッパー機構（図示省略）と、指針部４１が目盛り４２の−７℃にある状態からダイヤル操作部４０がマイナス方向（図３中反時計回り）に回転しないようにするストッパー機構（図示省略）とを有する。
【００２３】
押圧部材５０はダイヤル操作部４０の下面に接続されており、ダイヤル操作部４０を回動操作することで押圧部材５０も回動する。押圧部材５０は、ダイヤル操作部４０の下面に一端が固定された付勢バネ５１と、付勢バネ５１の他端に固定された押圧片（可動体）５２とで構成されている。押圧片５２の下面は、ダイヤル操作部４０の周方向に沿った断面形状が先細り状になっている。押圧片５２は、付勢バネ５１によって接点押圧部７１またはガイド部材８０に押し付けられる。
【００２４】
回路基板６０は、リモコン４のケース内の底面（図示省略）に設置されている。回路基板６０は、上下方向から見た押圧片５２の可動範囲内に、１３個の接点６１を有する。１３個の接点６１は、間隔を空けて周方向に配列されている。したがって、押圧片（可動体）５２は、１３個の接点６１の配列方向に沿って移動可能となっている。各接点６１は、一部が切断された回路で構成されている。
【００２５】
１３個の接点６１には、１℃ずつ異なる温度が割り当てられている。各接点６１に割り当てられる温度は、冷房運転時と暖房運転時とで異なる。また、ダイヤル操作部４０の指針部４１を目盛り４２に合わせたときに、この目盛り４２の温度に対応する接点６１の上方に押圧片５２が位置するように構成されている。
【００２６】
弾性部材７０は、絶縁性のゴムで形成されており、回路基板６０の上方に回路基板６０と隙間を空けて配置されている。弾性部材７０は、１３個の接点６１と対向する位置に設けられた１３個の接点押圧部７１と、接点押圧部７１の周囲に設けられた薄板状の平坦部７２とを有する。接点押圧部７１は、平坦部７２よりも肉厚であって、平坦部７２の上下両面から突出している。接点押圧部７１の下面には、導電膜７３が設けられている。また、平坦部７２の接点押圧部７１との連結部分は、平坦部７２の他の部分よりも肉薄であって、弾性変形しやすくなっている。
【００２７】
押圧片５２が接点押圧部７１に押し付けられると、平坦部７２が弾性変形すると共に、接点押圧部７１が下方に移動する。これにより、接点押圧部７１の先端面に設けられた導電膜７３が接点６１に接触するとともに、接点６１の切断された部分が導電膜７３によって電気的に連通し、接点６１に電気が流れる。接点６１が通電すると、この接点６１に割り当てられた温度がリモコン４の記憶部に記憶される。
【００２８】
複数のガイド部材８０は、押圧片５２が接点押圧部７１から周方向にずれた位置で停止するのを防止するために設けられている。ガイド部材８０は、弾性部材７０の平坦部７２の上方に配置されている。ガイド部材８０の上面は、周方向に沿った断面形状が先細り状になっている。ダイヤル操作部４０を回転操作すると、押圧片５２はガイド部材８０の上面と接触しつつ移動する。押圧片５２は、隣接する２つのガイド部材８０の間に配置されたときに接点押圧部７１を押圧する。
【００２９】
また、リモコン４は、温度設定ダイヤルスイッチ３３が操作されたときに設定温度を決定する設定温度決定部３７（図２参照）を有する。決定された設定温度は、無線または有線で室内機２の制御部に送信される。
【００３０】
設定温度決定部３７は、前回の設定温度と異なる温度の接点６１が通電している状態が、所定時間（例えば数秒）継続した場合、その接点６１の温度を設定温度と決定する。
【００３１】
上述したように、ガイド部材８０を設けたことで、押圧片５２は接点押圧部７１を押圧する位置（接点６１のある位置）で停止しやすくなっているものの、経年劣化やゴミ詰まり等が原因で、図４中破線で示すように、押圧片５２が接点６１から周方向にずれた位置（隣接する２つの接点６１の間の位置）で停止する場合がある。この場合、全ての接点６１が通電しない状態となっている。
【００３２】
設定温度決定部３７は、全ての接点６１が通電しない状態が所定時間（例えば数秒）継続した場合には、全ての接点６１が通電しない状態となる直前に通電した接点６１の温度と、前回の設定温度とに基いて、設定温度を決定する。
【００３３】
具体的には、温度を上げる操作をした場合（即ち、直前に通電した接点６１の温度から前回の設定温度を引いた温度が正の値の場合）には、直前に通電した接点６１の温度に１℃を足した温度を設定温度とする。例えば図５（ａ）に示すように、前回の設定温度が標準温度−２℃であって、温度を上げる方向に操作して、指針部４１が目盛り４２の＋１℃と＋２℃の間にある状態でダイヤル操作部４０を停止した場合には、直前に通電した接点６１の温度である標準温度＋１℃に１℃を足した標準温度＋２℃を設定温度とする。したがって、決定される設定温度は、ユーザーが本来設定しようとしていた温度（図５（ａ）の場合、標準温度＋１℃または標準温度＋２℃）と同じかそれよりも高い温度となる。
【００３４】
また、温度を下げる操作をした場合（即ち、直前に通電した接点６１の温度から前回の設定温度を引いた温度が負の値の場合）には、直前に通電した接点６１の温度から１℃を引いた温度を設定温度とする。例えば図５（ｂ）に示すように、前回の設定温度が標準温度＋５℃であって、温度を下げる方向に操作して、指針部４１が目盛り４２の＋１℃と＋２℃の間にある状態でダイヤル操作部４０を停止した場合には、直前に通電した接点６１の温度である標準温度＋２℃から１℃を引いた標準温度＋１℃を設定温度とする。したがって、決定される設定温度は、ユーザーが本来設定しようとしていた温度（図５（ｂ）の場合、標準温度＋１℃または標準温度＋２℃）と同じかそれよりも低い温度となる。
【００３５】
本実施形態の空気調和機１では、押圧片５２が隣接する２つの接点６１の間の位置に停止し、全ての接点６１が通電しない場合に、直前に通電した接点６１の温度に１℃を足した温度または１℃引いた温度を設定温度とする。したがって、接点６１が通電しない位置でダイヤル操作部４０を停止させてしまった場合であっても、ユーザーが本来設定しようとしていた温度またはそれに極近い温度に設定温度を決定できる。
【００３６】
また、温度を上げる操作をした場合に、直前に通電した接点６１の温度に１℃を足した温度を設定温度とするため、ユーザーが本来設定しようとしていた温度よりも設定温度が低くなるのを防止できる。
【００３７】
また、温度を下げる操作をした場合に、直前に通電した接点の温度から１℃を引いた温度を設定温度とするため、ユーザーが本来設定しようとしていた温度よりも設定温度が高くなるのを防止できる。
【００３８】
また、直前に通電した接点６１の温度±１℃の温度を設定温度とするため、前回の設定温度からの変化量が１℃未満の場合であっても、設定温度をユーザーの希望する方向（プラス方向またはマイナス方向）に変更することができる。
【００３９】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。なお、後述する変更形態は、適宜組み合わせて実施することも可能である。
【００４０】
上記実施形態では、温度を上げる操作をしたか下げる操作をしたかの判断を、直前に通電した接点６１の温度と前回の設定温度との温度差に基づいて行っているが、上記以外の方法で行ってもよい。例えば、直前に通電した接点６１の温度と、この接点６１が通電する直前に通電した接点６１の温度との温度差に基いて判断してもよい。
【００４１】
上記実施形態では、押圧片５２が隣接する２つの接点６１の間の位置で停止した場合、リモコン４の設定温度決定部３７によって設定温度を決定しているが、通電した接点の温度を室内機２の制御部に送信し、室内機２の制御部で設定温度を決定してもよい。
【００４２】
上記実施形態では、温度設定ダイヤルスイッチ３３は、リモコン４に設けられているが、室内機２に設けられていてもよい。
【００４３】
本発明の温度設定ダイヤルスイッチの構成は、上記実施形態の温度設定ダイヤルスイッチ３３の構成に限定されるものではなく、間隔を空けて周方向に配列された複数の接点と、複数の接点の配列方向に沿って移動可能な可動体とを備えるダイヤル式のスイッチであればよい。
【００４４】
上記実施形態の空気調和機１は、暖房運転と冷房運転の両方を行えるようになっているが、暖房運転と冷房運転のいずれか一方のみを行える空気調和機であってもよい。
【産業上の利用可能性】
【００４５】
本発明を利用すれば、接点が通電しない位置でダイヤルを停止させた場合でも設定温度を決定することができる。
【符号の説明】
【００４６】
１  空気調和機
４  リモコン
３３  温度設定ダイヤルスイッチ
４０  ダイヤル操作部
５０  押圧部材
５１  付勢バネ
５２  押圧片（可動体）
６０  回路基板
６１  接点
７０  弾性部材
７１  接点押圧部
７３  導電膜
【図１】
2013217535.tif 000003
【図２】
2013217535.tif 000004
【図３】
2013217535.tif 000005
【図４】
2013217535.tif 000006
【図５】
2013217535.tif 000007